(57)【要約】【課題】リテーナの成形性を向上させて反りのない形状にすることにより、リテーナの組み付け性を向上させることを課題とする。【解決手段】後方から端子金具を挿抜可能な複数のキャビティが幅方向に並べられて形成されると共に、これら各キャビティに連通するリテーナ装着孔を側面に開口させるように形成してなるコネクタハウジングと、前記リテーナ装着孔に差しこまれて、前記キャビティに収容された端子金具を係止するリテーナとを備えたコネクタであって、前記リテーナは、前記リテーナ装着孔の幅方向に長い形状をなし、前記リテーナ装着孔に対して収容可能とされた基部と、前記基部において前記幅方向に並んで設けられ、前記各キャビティに挿入された前記各端子金具にそれぞれ係止する係止部と、を含み、前記基部には、肉抜き孔が、前記幅方向に直交する前後方向の両側から形成されている。【選択図】図１
2010282828.tif 000002
【特許請求の範囲】
【請求項１】
後方から端子金具を挿抜可能な複数のキャビティが幅方向に並べられて形成されると共に、これら各キャビティに連通するリテーナ装着孔を側面に開口させるように形成してなるコネクタハウジングと、
前記リテーナ装着孔に差しこまれて、前記キャビティに収容された端子金具を係止するリテーナとを備えたコネクタであって、
前記リテーナは、
前記リテーナ装着孔の幅方向に長い形状をなし、前記リテーナ装着孔に対して収容可能とされた基部と、
前記基部において前記幅方向に並んで設けられ、前記各キャビティに挿入された前記各端子金具にそれぞれ係止する係止部と、を含み、
前記基部には、肉抜き孔が、前記幅方向に直交する前後方向の両側から形成されていることを特徴とするコネクタ。
【請求項２】
前記肉抜き孔を、前記基部に対して、前後に向かい合わせるように形成したことを特徴とする請求項１に記載のコネクタ。
【発明の詳細な説明】
【技術分野】
【０００１】
本発明は、コネクタに関する。
【背景技術】
【０００２】
従来、ハウジングの側面から差し込まれて端子金具に直接に係止し、この端子金具の抜止めを図るサイドリテーナを備えたコネクタとして、特許文献１に記載のものが知られている。このコネクタのハウジングには、端子金具を収容するための複数のキャビティが上下２段に分かれて形成され、また、リテーナを装着可能なリテーナ装着孔がハウジングの下面から内部へ向かってキャビティを貫通して形成されている。
【０００３】
リテーナは、ハウジングと同様に合成樹脂製にて成形され、リテーナ装着孔に収容可能とされた平板状の基板と、この基板上に形成された格子状の枠体を備えてなる。枠体には、各キャビティに対応する位置にそれぞれ突起部を備えている。係るリテーナはリテーナ装着孔に対して、突起部がキャビティから退避して端子金具のキャビティに対する挿抜を許容する仮係止位置と、突起部がキャビティ内に進入して、雌端子金具に係止される本係止位置との間を移動可能な状態で組み付けられている。
【先行技術文献】
【特許文献】
【０００４】
【特許文献１】特開２００４−１３４３１１号公報
【発明の概要】
【発明が解決しようとする課題】
【０００５】
近年では、コネクタの多極化に伴い、コネクタハウジングの幅寸法が長くなっており、それに対応してリテーナも横長な形状となっている。このような場合、樹脂の収縮に偏りが出来、リテーナが反った形状になってしまう。
本発明は上記のような事情に基づいて完成されたものであって、リテーナの成形性を向上させて反りのない形状にすることにより、リテーナの組み付け性を向上させることを目的とする。
【課題を解決するための手段】
【０００６】
本発明は、後方から端子金具を挿抜可能な複数のキャビティが幅方向に並べられて形成されると共に、これら各キャビティに連通するリテーナ装着孔を側面に開口させるように形成してなるコネクタハウジングと、前記リテーナ装着孔に差しこまれて、前記キャビティに収容された端子金具を係止するリテーナとを備えたコネクタであって、前記リテーナは、前記リテーナ装着孔の幅方向に長い形状をなし、前記リテーナ装着孔に対して収容可能とされた基部と、前記基部において前記幅方向に並んで設けられ、前記各キャビティに挿入された前記各端子金具にそれぞれ係止する係止部と、を含み、前記基部には、肉抜き孔が、前記幅方向に直交する前後方向の両側から形成されているところに特徴を有する。
【発明の効果】
【０００７】
本発明によれば、リテーナの基部に対して前後方向の両側から、肉抜き孔を形成した。このようにすれば、基部の肉厚について、前後でバランスがとれるので、リテーナの反りを抑えることが可能となり、ハウジングに対するリテーナの組み付け性が向上する。
【図面の簡単な説明】
【０００８】
【図１】本発明の一実施形態に係るコネクタの平面図
【図２】その側面図
【図３】コネクタを図１のＡ方向から見た図
【図４】コネクタを図１のＢ方向から見た図
【図５】コネクタの垂直断面図（リテーナの仮係止位置を示す）
【図６】同じくコネクタの垂直断面図（リテーナの本係止位置を示す）
【図７】リテーナの平面図
【図８】リテーナを図７のＣ方向から見た図
【図９】リテーナを図７のＤ方向から見た図
【図１０】係止脚の形状を示す図
【図１１】図８中のＥ−Ｅ線断面図
【発明を実施するための形態】
【０００９】
以下、本発明の一実施形態を図面を参照して説明する。図１はコネクタの平面図、図２はコネクタの側面図、図３はコネクタを図１のＡ方向から見た図、図４はコネクタを図１のＢ方向から見た図である。また、図５、図６はそれぞれコネクタの垂直断面図を示している。
【００１０】
コネクタ１０は、合成樹脂製のハウジング１１と、ハウジング１１に形成されるキャビティ１２内に挿入される端子金具Ｔと、リテーナ３０とを備えてなる。
【００１１】
ハウジング１１は、高さ方向の寸法に比し幅方向（図１の上下方向）に長い形状をなしている。そして、上下２段に亘ってキャビティ１２が形成されている。具体的には、ハウジング１１の下段には、図３に示すように、キャビティ１２が幅方向に１４室並設されている。一方、ハウジング１１の上段側は、中央にロックアーム１５が形成されており、その両側にキャビティが５室づつ形成されている。
【００１２】
ロックアーム１５は相手側コネクタ（図示せず）との嵌合面となる前面側から背面側に向かって片持ち梁状に延出されて上下方向に撓み変形可能であり、上面中央には相手側コネクタと嵌合係止するためのロック爪１５ａを形成している。
【００１３】
各キャビティ１２は、ハウジング１１を前後方向に貫通して形成されており、それぞれ端子金具Ｔを後方から差し込んで、内部に収容可能となっている。また、各キャビティ１２内の下面中央部には、図５、図６に示すように、撓み変形可能なランス１７が設けられており、各端子金具Ｔと弾性的に係止可能となっている。
【００１４】
また、ハウジング１１には、リテーナ３０を装着するためのリテーナ装着孔２０が形成されている。このリテーナ装着孔２０は、図１に示すように、幅方向のほぼ全域に渡って形成されており、図５に示すように、ハウジング１１の下面（本発明の「側面」に相当する）１１ａに開口している。係るリテーナ装着孔２０は、図５に示すように、上段側のキャビティ１２に連通する深さを有している。なお、ロックアーム１５の形成領域に対応する中間部分の４つのキャビティ１２に対しては、下段分の深さとしてある。
【００１５】
リテーナ３０はハウジング１１と同様に合成樹脂製にて成形されている。このリテーナ３０はリテーナ装着孔２０に嵌め合わせるように組み付けられて、キャビティ１２に挿入された端子金具Ｔをランス１７共に二重に係止するものであって、後述するように、仮係止位置と本係止位置との間を端子金具Ｔの挿抜方向に対して直交する方向に移動可能とされる。
【００１６】
リテーナ３０は合成樹脂製であって基部３１を備えてなる。基部３１は、図７〜図９に示すように、ハウジング１１の幅方向に長い平板状をしている。この基部３１は、リテーナ装着孔２０に対して隙間なく嵌合できる大きさとなっている。
【００１７】
基部３１上には、第一係止突起（本発明の「係止部」に相当する）３５が、基部３１の幅方向に沿って横並び状に形成されている。この第一係止突起３５は、ハウジング１１の下段に形成された各キャビティ１２に対応して形成してあり、本係止位置では、下段の各キャビティ１２に挿入された端子金具Ｔのあご部Ｔａに係止する構成となっている。
【００１８】
また、基部３１上は上段側に形成された左右５つのキャビティ１２に対応して、窓枠部４１が左右５組づつ形成されている。これら５つの窓枠部４１の上壁には、基部３１に形成されたのと同様の第二係止突起（本発明の「係止部」に相当する）４５が形成されている。この第二係止突起４５は、本係止位置では、上段のキャビティ１２に挿入された端子金具Ｔのあご部Ｔａに係止する構成となっている。
【００１９】
そして、基部３１上に形成された窓枠部４１は前後に貫通しており、その形状は下段側のキャビティ１２とほぼ同じ大きさをしている。これら窓枠部４１は仮係止位置ではキャビティ１２とほぼ整合する設定としてあり、端子金具Ｔを干渉させることなく、キャビティ１２内に挿通できる設定となっている。
【００２０】
また、基板３１の幅方向両側部には一対の係止脚５０が形成されている。これら一対の係止脚５０は、図１０に示すように、二股状に分かれたアーム５１、５３を有しており、窄み方向へ撓み可能となっている。そして、リテーナ３０をリテーナ装着孔２０へ嵌め入れたときに、図５に示す仮係止位置と、図６に示す本係止位置のそれぞれにおいてハウジング１１側と弾性的に係止する。
【００２１】
具体的には、係止脚５０のうち、図１０に示す右側のアーム５１が仮係止用となっており、これをハウジング１１に形成した仮係止用の係止部（図略）に係止させることで、リテーナ３０を図５に示す仮係止位置（リテーナ３０の基部３１がハウジング１１の下面１１ａから突出する位置）に保持できる。この仮係止位置では、リテーナ３０の窓枠部４１がそれに対応するキャビティ１２に整合した状態になり、また、各リテーナ３０に形成された各係止突起３５、４５はそれに対応する各キャビティ１２の下方に退避した状態となる。よって、ハウジング１１の各キャビティ１２に対し後方から端子金具Ｔを挿抜可能となる。
【００２２】
また、係止脚５０のうち、図１０に示す左側のアーム５３が本係止用となっており、これをハウジング１１に形成した本係止用係止部（図略）に係止させることで、リテーナ３０を図６に示す本係止位置（リテーナ３０の基部３１がリテーナ装着孔２０に収まり、ハウジング１１の下面１１ａと面一となる位置）に保持できる。この本係止位置では、リテーナ３０の各係止突起３５、４５が各キャビティ１２に差し込まれた端子金具Ｔのあご部Ｔａと係止し、それらを抜け止め状態に保持する。
【００２３】
さて、図１１には、リテーナ３０の基部３１を水平方向に切断した水平断面図が示されている。係る基部３１には、肉抜き孔３２（３２Ａ、３２Ｂの総称）が形成されている。肉抜き孔３２は、前後方向（幅方向に直交する方向）の両側から形成されている。具体的には、肉抜き孔３２Ａは基部３１の前側（図１１の下側）から形成してあり、肉抜き孔３２Ａは基部３１の前端面を切り抜けて前側に開口する。また、肉抜き孔３２Ｂは基部３１の後側（図１１の上側）から形成してあり、肉抜き孔３２Ｂは基部３１の後端面を切り抜けて後側に開口する。
【００２４】
これら両肉抜き孔３２Ａ、３２Ｂは幅方向の同位置に形成されていて、前後に向かい合っており、両間に一定幅の肉を設けている。この実施形態では、このような肉抜き孔３２Ａ、３２Ｂの対を幅方向に４箇所形成している。具体的には、中心線Ｌの両側に肉抜き孔３２Ａ、３２Ｂの対を２組づつ設けている。
【００２５】
このような構成とすることで、基部３１の肉厚のバランスがとれ、前後方向、幅方向の両方向において、基部３１に肉厚の偏りが出来ない。そのため、成形時における樹脂の収縮率が基部３１の全域において均一となる結果、基部３１の反りを抑えることが可能となる。よって、リテーナ３０の全体を反りの無い形状に成形できる。
【００２６】
尚、参考までに説明しておくと、このような肉抜き孔を基部３１の片側にのみ形成した場合（例えば、前側に開口する肉抜き孔３２Ａのみ形成した場合）には、基部３１の肉厚のバランスが前後で崩れ、図１１において二点鎖線で示すように基部３１は反ってしまう。よって、このような構成では、本実施形態のような効果を奏することは難しい。
【００２７】
また、本実施形態では、肉抜き孔３２Ａ、３２Ｂの対には、幅が広い対Ｆと、幅が狭い対Ｇが設けてあり、それらを交互に配置している。具体的には、図１１に示す左側から順に、幅の広い対Ｆ、幅の狭い対Ｇ、幅の広い対Ｆ、幅の狭い対Ｇとなっている。  
【００２８】
また、図１１に示すように、基部３１のうち中央部と幅方向の両側には、前側（図１１の下側）に開放する解除孔３７が設けられている。この解除孔３７に、先の尖った解除治具を引っ掛けてこじり上げることにより、ハウジング１１に対するリテーナ３０の係止を解除できる構成となっている。
【００２９】
また、図１１に示すように、基部３１には左右一対のガイド溝３８が形成されている。このガイド溝３８は、図８、図９に示すように、下向きに凹んだ形状をしている。係るガイド溝３８は、コネクタ１０を相手側コネクタ（図略）に嵌合させるときにガイドとして作用するものであり、相手側コネクタに形成されるガイド壁（図略）を前方から受け入れて嵌合させる。
【００３０】
次に、コネクタ１０の組み立て作業手順を説明する。コネクタ１０を組み立てるには、先ず、ハウジング１１のリテーナ装着孔２０に対し、リテーナ３０を下側から軽く押し込む。すると、リテーナ３０の係止脚５０のアーム５１がハウジング１１に係止し、リテーナ３０はハウジング１１の下面から少し突出した状態の仮係止位置に保持される。
【００３１】
次に、ハウジング１１の各キャビティ１２内に後方から端子金具Ｔを差し込み、ランス１７によって一次係止される正規深さまで挿入する。しかる後、リテーナ３０を更に押圧して、仮係止位置からより深い本係止位置まで挿入する。すると、リテーナ３０の係止脚５０のアーム５３がハウジング１１に係止し、リテーナ３０が本係止位置に保持される。
【００３２】
この本形成位置では、リテーナの基部３１がハウジング１１のリテーナ装着孔２０に隙間なく収まり、リテーナ３０の基部下面とハウジング１１の下面１１ａが面一になる。そして、この本係止位置では、リテーナの係止部３５、４５がキャビティ１２に挿入された端子金具Ｔのあご部Ｔａに係止する。これにて、端子金具Ｔはランス１７による係止と共に、二重に係止された状態となる。
【００３３】
この実施形態では、リテーナ３０の基部３１に前後方向の両側から肉抜き孔３２Ａ、３２Ｂを形成してあり、リテーナ３０を反りが少ない形状に成形できる。そのため、リテーナ３０をリテーナ装着孔２０に干渉なく組み付けることが可能となり、リテーナ３０を仮係止位置まで押し込む作業、リテーナ３０を仮係止位置から本係止位置に押し込む作業を支障なく行うことができる。そのため、コネクタ１０の組み立て作業を容易に行うことが可能となり、作業効率がよい。
【００３４】
＜他の実施形態＞
本発明は上記記述及び図面によって説明した実施形態に限定されるものではなく、例えば次のような実施形態も本発明の技術的範囲に含まれる。
【００３５】
（１）本実施形態では、肉抜き孔３２Ａ、３２Ｂを前後に向かい合わせて形成したが、前後の両側から形成されていればよく、例えば、幅方向に位置をずらして形成するような構成であってもよい。
【符号の説明】
【００３６】
１０…コネクタ
１１…ハウジング
１１ａ…下面（本発明の「側面」に相当）
１２…キャビティ
１７…ランス
２０…リテーナ装着孔
３０…リテーナ
３１…基部
３２Ａ、３２Ｂ…肉抜き孔
３５…係止突起（本発明の「係止部」に相当）
４５…係止突起（本発明の「係止部」に相当）
Ｔ…端子金具
【図１】
2010282828.tif 000003
【図２】
2010282828.tif 000004
【図３】
2010282828.tif 000005
【図４】
2010282828.tif 000006
【図５】
2010282828.tif 000007
【図６】
2010282828.tif 000008
【図７】
2010282828.tif 000009
【図８】
2010282828.tif 000010
【図９】
2010282828.tif 000011
【図１０】
2010282828.tif 000012
【図１１】
2010282828.tif 000013